(57)【要約】【課題】  外部への水の流出を確実に防止して、かつ、嵩張ることなく省スペースで大量にストックすることができて、しかも、使用時には簡単な操作で組み立てることができる切り花運搬用保水具を提供すること。【解決手段】アッパーカップ体１の頭頂部を内側に凹陥させて、この凹陥部中央には開口部11を形成する一方、当該開口部11の周縁には周壁部12を形成し、前記周壁部12によって内部に水返し部が作出される花挿しスタイルを形成する一方、前記両カップ体１・２の境界部Ｂを折曲して、かつ、前記周壁部12の端部に成形された折目部13に沿ってアッパーカップ体１の凹凸を反対側に反曲せしめて、アンダーカップ体２の内側面に重ね合わせることによって、畳みスタイルを形成することができ、この畳みスタイルにおいて、アンダーカップ体２の外側面を、アッパーカップ体１の上面に載置せしめて積み重ね自在に構成するという技術的手段を採用した。【選択図】  図２
2008189323.tif 000002
【特許請求の範囲】
【請求項１】
切り花Ｆの茎先端側に配置される保水用の中空容器であって、この中空容器は、対向せる一対のアッパーカップ体１とアンダーカップ体２とが可撓性合成樹脂により一体成形されて構成されており、
前記アッパーカップ体１の頭頂部が内側に凹陥して、この凹陥部中央には開口部11が形成されており、当該開口部11の周縁には周壁部12が形成され、前記周壁部12によって内部に水返し部が作出される花挿しスタイルを形成する一方、
前記両カップ体１・２の境界部Ｂを折曲して、かつ、前記周壁部12の端部に成形された折目部13に沿ってアッパーカップ体１の凹凸を反対側に反曲せしめて、アンダーカップ体２の内側面に重ね合わせることによって、畳みスタイルを形成することができ、
この畳みスタイルにおいて、アンダーカップ体２の外側面を、アッパーカップ体１の上面に載置せしめて積み重ね自在に構成したことを特徴とする切り花運搬用保水具。
【請求項２】
切り花Ｆの茎先端側に配置される保水用の中空容器であって、この中空容器は、対向せる一対のアッパーカップ体１とアンダーカップ体２とが可撓性合成樹脂により一体成形されて構成されており、
前記アッパーカップ体１の頭頂部が内側に凹陥して、この凹陥部中央には開口部11が形成されており、当該開口部11の周縁には周壁部12が形成され、前記周壁部12によって内部に水返し部が作出される花挿しスタイルを形成する一方、
前記両カップ体１・２の境界部Ｂを折曲して、かつ、アンダーカップ体２の底面における凸部21の周縁に成形された折目部22に沿って当該アンダーカップ体２の凹凸を反対側に反曲せしめて、アッパーカップ体１の内側面に重ね合わせることによって、畳みスタイルを形成することができ、
この畳みスタイルにおいて、アッパーカップ体１の外側面を、アンダーカップ体２の外側面に載置せしめて積み重ね自在に構成したことを特徴とする切り花運搬用保水具。
【請求項３】
アッパーカップ体１の折目部13および／またはアンダーカップ体２の折目部22に、スリット溝が成形されていることを特徴とする請求項１または２記載の切り花運搬用保水具。
【請求項４】
アッパーカップ体１の周面には、頭頂部から境界部Ｂに亙り複数の凹溝14・14…が並列して成形されていることを特徴とする請求項１〜３の何れか一つに記載の切り花運搬用保水具。
【請求項５】
アンダーカップ体２の底面には円形の凸部22が形成されており、畳みスタイルのとき、この凸部22がアッパーカップ体１の開口部11に挿嵌可能であることを特徴とする請求項１〜４の何れか一つに記載の切り花運搬用保水具。
【請求項６】
アッパーカップ体１とアンダーカップ体２とが、ポリオレフィン系合成樹脂材料をブロー成形して一体に中空成形されていることを特徴とする請求項１〜５の何れか一つに記載の切り花運搬用保水具。
【発明の詳細な説明】
【技術分野】
【０００１】
本発明は、切り花の運搬用具の改良、更に詳しくは、外部への水の流出を確実に防止して、かつ、嵩張ることなく省スペースで大量にストックすることができて、しかも、使用時には簡単な操作で組み立てることができる切り花運搬用保水具に関するものである。
【背景技術】
【０００２】
周知のとおり、贈り物などに用いられる切り花を運搬するにあっては、鮮度を保つために茎の先端側を常に水に浸した状態にしておく必要がある。
【０００３】
従来、切り花を運搬するにあっては、茎側に水を入れた容器を包装箱の底面に配置可能なものが開示されている（例えば、特許文献１参照）。
【０００４】
しかしながら、かかる容器は大量に使用されるため、相当数の在庫をストックしておかねばならないのであるが、かかる形状では未使用時に積み重ねたとしても、容器部分の容積がほとんど変わらず、不可避的に嵩張って、スペースを占拠してしまうという不満があった。
【特許文献１】特開２００３−２９２０７７号公報（第３−５頁、図１−９）
【発明の開示】
【発明が解決しようとする課題】
【０００５】
本発明は、従来の運搬容器に上記のような問題があったことに鑑みて為されたものであり、その目的とするところは、外部への水の流出を確実に防止して、かつ、嵩張ることなく省スペースで大量にストックすることができて、しかも、使用時には簡単な操作で組み立てることができる切り花運搬用保水具を提供することにある。
【課題を解決するための手段】
【０００６】
本発明者が上記課題を解決するために採用した手段を添付図面を参照して説明すれば次のとおりである。
【０００７】
即ち、本発明は、切り花Ｆの茎先端側に配置される保水用の中空容器であって、この中空容器を、対向せる一対のアッパーカップ体１とアンダーカップ体２とが可撓性合成樹脂により一体成形されて構成し、
前記アッパーカップ体１の頭頂部を内側に凹陥させて、この凹陥部中央には開口部11を形成する一方、当該開口部11の周縁には周壁部12を形成し、前記周壁部12によって内部に水返し部が作出される花挿しスタイルを形成する一方、
前記両カップ体１・２の境界部Ｂを折曲して、かつ、前記周壁部12の端部に成形された折目部13に沿ってアッパーカップ体１の凹凸を反対側に反曲せしめて、アンダーカップ体２の内側面に重ね合わせることによって、畳みスタイルを形成することができ、
この畳みスタイルにおいて、アンダーカップ体２の外側面を、アッパーカップ体１の上面に載置せしめて積み重ね自在に構成するという技術的手段を採用したことによって切り花運搬用保水具を完成させた。
【０００８】
また、本発明は、両カップ体１・２の境界部Ｂを折曲して、かつ、アンダーカップ体２の底面における凸部21の周縁に成形された折目部22に沿って当該アンダーカップ体２の凹凸を反対側に反曲せしめて、アッパーカップ体１の内側面に重ね合わせることによって、畳みスタイルを形成することができ、
この畳みスタイルにおいて、アッパーカップ体１の外側面を、アンダーカップ体２の外側面に載置せしめて積み重ね自在に構成するという技術的手段を採用することもできる。
【０００９】
また、本発明は、上記課題を解決するために、必要に応じて上記手段に加え、アッパーカップ体１の折目部13および／またはアンダーカップ体２の折目部22に、スリット溝を成形するという技術的手段を採用した。
【００１０】
更にまた、本発明は、上記課題を解決するために、必要に応じて上記手段に加え、アッパーカップ体１の周面には、頭頂部から境界部Ｂに亙り複数の凹溝14・14…を並列して成形するという技術的手段を採用した。
【００１１】
更にまた、本発明は、上記課題を解決するために、必要に応じて上記手段に加え、アンダーカップ体２の底面には円形の凸部21を形成し、畳みスタイルのとき、この凸部21をアッパーカップ体１の開口部11に挿嵌可能にするという技術的手段を採用した。
【００１２】
更にまた、本発明は、上記課題を解決するために、必要に応じて上記手段に加え、アッパーカップ体１とアンダーカップ体２とを、ポリオレフィン系合成樹脂材料をブロー成形して一体に中空成形するという技術的手段を採用した。
【発明の効果】
【００１３】
本発明においては、切り花の茎先端側に配置される保水用の中空容器を対向せる一対のアッパーカップ体とアンダーカップ体とを可撓性合成樹脂により一体成形して構成し、前記アッパーカップ体の頭頂部が内側に凹陥して、この凹陥部中央には開口部を形成する一方、当該開口部の周縁には周壁部を形成して、前記周壁部によって内部に水返し部が作出される花挿しスタイルを形成する一方、前記両カップ体の境界部を折曲して、かつ、前記周壁部の端部に成形された折目部に沿ってアッパーカップ体の凹凸を反対側に反曲せしめて、アンダーカップ体の内側面に重ね合わせることによって、畳みスタイルを形成することができ、この畳みスタイルにおいて、アンダーカップ体の外側面を、アッパーカップ体の上面に載置せしめて積み重ね自在にすることができる。
【００１４】
したがって、本発明の切り花運搬用保水具を使用することにより、外部への水の流出を確実に防止することができる。また、嵩張ることなく省スペースで大量にストックすることができて、しかも、使用時には簡単な操作で組み立てることができることから、実用的利用価値は頗る高いものがある。
【発明を実施するための最良の形態】
【００１５】
本発明を実施するための最良の形態を具体的に図示した図面に基づいて更に詳細に説明すると、次のとおりである。
【００１６】
本発明の実施形態を図１から図６に基づいて説明する。図中、符号１で指示するものはアッパーカップ体であり、また、符号２で指示するものはアンダーカップ体である。これらのアッパーカップ体１とアンダーカップ体２とは、可撓性合成樹脂（本実施形態では、ポリオレフィン系合成樹脂材料、より好ましくは低密度ポリエチレン）により成形される器体である。
【００１７】
しかして、本発明における保水具は、切り花Ｆの茎先端側に配置される保水用の中空容器であって、この中空容器は、対向せる一対のアッパーカップ体１とアンダーカップ体２とが一体成形されて構成されており、本実施形態では、低密度ポリエチレンをブロー成形して一体に中空成形されており、厚みを約０．２〜０．７ｍｍ程度にする。
【００１８】
具体的には、図１に示すように、前記アッパーカップ体１の頭頂部を内側に凹陥させ、この凹陥部中央には開口部11を形成する。この開口部11は、一旦ブロー成形した後に開設する。そして、当該開口部11の周縁には周壁部12を形成することによって、前記周壁部12によって内部に水返し部が作出される花挿しスタイルを形成することができる。
【００１９】
この花挿しスタイルにあっては、図２に示すように、所定の切り花Ｆを挿し入れることができるとともに、図３に示すように、保持具を横たえたとしても、周壁部12による水返し部によって、外部への水の流出を確実に防止することができる。
【００２０】
次に、本発明における保水具は、図４に示すように、前記両カップ体１・２の境界部Ｂを折曲して、かつ、前記周壁部12の端部に成形された折目部13に沿ってアッパーカップ体１の凹凸を反対側に反曲せしめて、アンダーカップ体２の内側面に重ね合わせることによって、畳みスタイルを形成することができる（図５参照）。本実施形態では、折り曲げ操作をスムースにするために、アッパーカップ体１の折目部13に、スリット溝を成形することができる。
【００２１】
このような畳みスタイルにすることによって、アンダーカップ体２の外側面を、アッパーカップ体１の上面に載置せしめて積み重ね自在に構成することができ、嵩張ることなく省スペースで大量にストックすることができる（図６参照）。
【００２２】
この際、本実施形態では、アンダーカップ体２の底面に円形の凸部21を形成することによって、畳みスタイルのとき、この凸部21が下側の保持具におけるアッパーカップ体１の開口部11に挿嵌可能にすることができ、同形状の凹凸で確実に順次積み重ねることができる。
【００２３】
また、本実施形態では、アッパーカップ体１の周面には、頭頂部から境界部Ｂに亙り複数の凹溝14・14…を並列して成形することによって、花挿しスタイルと畳みスタイルとを交互に変形操作する際に、これらの凹溝14が撓曲あるいは屈曲することにより、スムースに反転動作が可能となる。
【００２４】
更にまた、本実施形態の保水具の変形例を図７および図８に示す。本変形例では、図７に示すように、上述したパターンとは逆に、両カップ体１・２の境界部Ｂを折曲して、かつ、アンダーカップ体２の底面における凸部21の周縁に成形された折目部22に沿って当該アンダーカップ体２の凹凸を反対側に反曲せしめて、アッパーカップ体１の内側面に重ね合わせることによって、畳みスタイルを形成することができ、図８に示すように、この畳みスタイルにおいて、アッパーカップ体１の外側面を、アンダーカップ体２の外側面に載置せしめて積み重ね自在に構成することができる。
【００２５】
本発明は概ね上記のように構成されるが、図示の実施形態に限定されるものでは決してなく、「特許請求の範囲」の記載内において種々の変更が可能であって、例えば、使用材料は、低密度ポリエチレンに限らず、ポリエチレンテレフタレート（ＰＥＴ）やエチレン酢酸ビニルアルコール重合体（ＥＶＡ）、塩化ビニル（ＰＶＣ）、ナイロンなどの樹脂材料を採用することができる。
【００２６】
また、保持具の境界部Ｂの断面形状は、円形や多角形状など、包装箱の形状に応じて適宜設計変更することもでき、これら何れのものも、本発明の技術的範囲に属する。
【図面の簡単な説明】
【００２７】
【図１】本発明の実施形態の保水具の花挿しスタイルを表わす全体斜視図である。
【図２】本発明の実施形態の保水具の使用状態を表わす全体斜視図である。
【図３】本発明の実施形態の保水具を横たえた状態を表わす説明側面図である。
【図４】本発明の実施形態の保水具の畳み状況を表わす全体斜視図である。
【図５】本発明の実施形態の保水具の畳みスタイルを表わす全体斜視図である。
【図６】本発明の実施形態の複数の保水具を積み重ねた状態を表わす全体斜視図である。
【図７】本発明の実施変形例の保水具の畳み状況を表わす全体斜視図である。
【図８】本発明の実施変形例の保水具の畳みスタイルを表わす全体斜視図である。
【符号の説明】
【００２８】
１    アッパーカップ体
11    開口部
12    周壁部
13    折目部
14    凹溝
２    アンダーカップ体
21    凸部
22    折目部
Ｂ    境界部
Ｆ    切り花
【図１】
2008189323.tif 000003
【図２】
2008189323.tif 000004
【図３】
2008189323.tif 000005
【図４】
2008189323.tif 000006
【図５】
2008189323.tif 000007
【図６】
2008189323.tif 000008
【図７】
2008189323.tif 000009
【図８】
2008189323.tif 000010